(57)【要約】【課題】  地震国で電気機器の多い国で、地震発生時になぜあんなに明かりがないのか。従来は、懐中電灯かラジオ付きライトがあって、地震が夜に発生したときには、家全体の電気が遮断され部屋は暗く、懐中電灯など明かりが点くものが何処にあるのか分からず、足下などに怪我する人が多いことと、逃げ遅れて重大な障害になる欠点があった。【解決手段】  通常本体の機と子機はＡＣ電源からバッテリに充電しておき、夜の睡眠時に、地震が発生した際に、本体の機の振動センサーから送信子機に受信し、両機が同時に目覚ましブザーが鳴り着脱自在で電灯の明かりが点くことで、足下の確認し家族の安否確認する、避難先で本体機は太陽電池によって充電ができ明かりが点くようにした物である。【選択図】  図１
2006194847.tif 000002
【特許請求の範囲】
【請求項１】
通常の本体の機と子機は、商用電源よりバッテリに充電しておき、地震発生時に電気は遮断されても充電されているバッテリの電源を使い、本体の機は振動センサーが作動とともに送信子機は受信し、両機はブザーが鳴って起き電灯の明かりが点くことで、乱雑な部屋でも足下が見えることで怪我をさけ安全に避難することにある。
本体の機は、災害人の捜索の明かりとして、又避難先のテントでも使用されるように太陽電池で充電され電灯の明かりが付くようにした、地震発生電源警報システムである。
【発明の詳細な説明】
【技術分野】
【０００１】  電源が遮断されてもバッテリにより保持し、センサーが作動し本体の機から送信し子機に受信されと自動的に、警報ブザーが鳴り明かりが点き警報システムに関する。
【背景技術】
【０００２】  従来、懐中電灯又はラジオ付き蛍光電灯は、地震発生したときに家全体の電気は遮断されて部屋は暗く、懐中電灯など明かりの点く物が何処にあるのか分からず、足下などに怪我する人が多いことと、これによって逃げ遅れ重大な障害になる欠点があった。
この製品と似たものとしては、警報機がある、煙、火災、生ガス、ＣＯ、温度、からなるセンサーで警報音で知らせるが、火災が主体であるため地震発生した場合使えない。
【特許文献１】    特開２００４−２５８９６８
【特許文献２】
【非許文献１】
【発明の開示】
【発明が解決しようとする課題】
【０００４】  本発明は以上のような従来の欠点に鑑み、夜の睡眠時に地震発生した場合に、電気が遮断されても地震発生を、自動的にブザー音で目覚め明かりが点き、自分の部屋の状況を確認し、各部屋が同じシステムで繋がっており、家族の安否を確認して避難所に向かう、他に使用されるところとしてビルの地下室、ビルの中の暗室、電気が遮断され発電施設がない所など、また持ち運びができ仮設テントなどでも使える物を提供することを目的としている。
【課題を解決するための手段】
【０００５】  上記目的を達成するために、本発明は地震発生時に、電源が遮断されても本体の機は商用電源よりバッテリに充電されているため地震発生時に、振動センサーが作動しブザーが鳴り電灯の明かりが点き送信して、各部屋に備えられている商用電源よりバッテリに充電されている、子機に受信されブザーが鳴り電灯の明かりが点くものです。
本体の機は、通常はＡＣ電源からバッテリに充電されるが、地震後は太陽電池からバッテリに充電されることを構成している。
【発明の効果】
【０００６】  以上の説明から明らかなように、本発明にあっては夜の睡眠時に地震発生、本体の機子機とも商用電源が遮断されてもバッテリに充電されている電源によって、本体の機から送信して子機に受信され、両機とものブザー音で起き電灯の明かりによって自分の足下の状況を確認し各部屋の同じシステムによって、家族の生存確認し安全に避難所に向かうことができる。
ブザー音が鳴り続ければ、被害を受けている可能性も分かる。【０００７】  本体の機は、災害人の捜索の明かりとして、避難先の仮設テントなどでも太陽電池で充電し使用されるようにした。
【発明を実施するための最良の形態】
【０００８】  以下、図面に示す発明を実施するための最良の形態により、本発明を詳細に説明する。【０００９】  図１、図２、本発明は地震発生時に、本体の機は商用電源よりバッテリに充電されているため地震発生時に、振動センサーが鳴り電灯の明かりが点き送信して、各部屋に備えられている商用電源よりバッテリに充電されている、子機に受信されブザーがなり電灯の明かりが点くような構成されている。【００１０】  図３，図４、本体の機は、通常は商用電源からバッテリに充電されるが、地震後は太陽電池から配線を伸ばし接続バッテリに充電され明かりが点くようにした。
またアウトドアでの電源としても使うことができる。
｛発明を実施するための異なる形態｝【００１１】  各部屋に備えられている、充電式の電灯とブザーが付いた物に振動センサーを付ければ送信受信の電波を使わなくても独自に地震検知が出来でき使用することができる。
【産業上の利用可能性】
【００１２】  本発明は、地震災害対策進める建設業社、半導体、電機業社で製造する産業で利用される。
【図面の簡単な説明】
【００１３】
【図１】本発明を実施するための本体の機と子機の使用状況図。
【図２】本発明を実施するための警報機の施設使用状態図。
【図３】本発明を実施するための原理工程図。
【図４】本発明を実施するための太陽電池で使用状況の構成図。
【図５】本発明を実施するための太陽電池で仮設テントの使用図。
【符号の説明】
【００１４】  １，本体の機                          ２，子機
３，商用安定化電源                    ４，コントローラ
５，バッテリ                          ６，振動センサー
７，送受信装置                        ８、電灯
９，ブザー                          １０，太陽電池
１１，仮設テント
【図１】
2006194847.tif 000003
【図２】
2006194847.tif 000004
【図３】
2006194847.tif 000005
【図４】
2006194847.tif 000006
【図５】
2006194847.tif 000007
【手続補正書】
【提出日】平成17年11月8日(2005.11.8)
【手続補正１】
【補正対象書類名】特許請求の範囲
【補正対象項目名】全文
【補正方法】変更
【補正の内容】
【特許請求の範囲】
【請求項１】
本体の機は商用電源を使うか太陽電池を使うかを、スイッチで切り替えた電源を整流化にしコントローラからバッテリに接続した充電装置で、この充電装置から各所に接続するものは、ＤＣ−ＡＣインバーターとＤＣ−ＤＣコンバーターで単一ずつ接続したものと、本体の機の振動センサーから子機に送信する送信装置にブザーと電灯が関連して接続した装置で、これら各所にスイッチを設けた本体の機。
子機は、商用安定化電源にしコントローラからバッテリに接続した充電装置で、この充電装置から各所に接続するものは、本体の機から送信したものをこの子機で受信する受信装置で、ブザーと電灯が関連して接続した装置で、これら各所にスイッチを設けた子機。地震を検知し本体の機と子機が同時に警報音と電灯が点き地震後に発電装置で電灯が点き商用電源と小電力が使える特徴の地震警報機。
【請求項２】
子機は、商用安定化電源にしてコントローラからバッテリにした充電装置に、振動センサーからブザーと電灯が関連して接続し、この各所にスイッチを設けた子機。単独で振動センサーによって地震検知機能持った特徴の地震警報機。
【手続補正２】
【補正対象書類名】明細書
【補正対象項目名】全文
【補正方法】変更
【補正の内容】
【発明の詳細な説明】
【技術分野】
【０００１】太陽電池と商用電源を持ち、地震発生時に電源が遮断され蓄電池により振動センサーから警報音と電灯が点く装置に関する。
【背景技術】
【０００２】              従来、懐中電灯又はラジオ付き蛍光電灯は、地震発生したときに家全体の電気が遮断されて部屋は暗く、懐中電灯など明かりの点くものが何処にあるのか分からず、足下などに怪我をする人が多いことと、これによって逃げ遅れ重大な障害になることと、避難所先の仮設テントの中は明かりもなく暗い欠点があった。この製品と似たものとしては、警報機がある、煙、火災、生ガス、ＣＯ、温度からなるセンサーで警報音で知らせるが、火災が主体であるため地震が発生した場合使えない。
【特許文献１】    特開２００４−２５８９６８
【発明が解決しようとする課題】
【０００３】              本発明は以上のような従来の欠点に鑑み、夜の睡眠時に地震発生した場合に、電気が遮断されても蓄電池から地震を検知し、自動的にブザー音で目覚めて明かりが点き、自分の部屋の状況を確認し、各部屋が同じシステムで繋がっており、家族の安否を確認して避難所に向かう、他に使用される所として一般家庭、ビルの地下室、ビルの暗室、電気が遮断され発電施設がない所など、また持ち運びができ避難先の仮設テントなどでも太陽電池から蓄電池で明かり点くことと、商用電源で通信機器とテレビなどに使えて、低電圧変換にし小電力も使える物を提供することを目的としている。
【課題を解決するための手段】
【０００４】              上記目的を達成するために、本発明は夜の地震発生時に、電源が遮断されても本体機と子機は、商用電源よりコントローラからバッテリと接続された充電装置で、本体の機に備えられている振動センサーが作動して送信装置で送信し子機の受信装置で受信し、本体の機と子機の同時にブザーが鳴り電灯の明かりが点く両機で、本体の機は、仮設テントで使う場合は、太陽電池にスイッチを切り替えた充電装置から電灯とＤＣ−ＡＣインバーターにＤＣ−ＤＣコンバーターを設けた構成にしている。
【０００５】上記記載の子機は送受信装置を使い作動するが、商用電源より充電装置を通し地震検知の振動センサーからブザー電灯が点く、独自の子機は構成にしている。
【発明の効果】
【０００６】              以上の説明から明らかなように、本発明にあっては地震発生時に商用電源が遮断されても充電装置で電源を保持し、この電源より振動センサーが震度を検知し、本体の機から子機に送受信装置で同時にブザー音を鳴らして夜の睡眠時でも起きるようにして、電灯が点いて足下に注意しガラスなど危険な物を避け安全に避難をすることである。ブザーが嗚り続ければ、被害を受けている可能性も分かる。
地震後の余震が続く中、避難所で太陽光を電源とした太陽電池と蓄電池によって仮設テントの中を電灯で明かりを点け、ＤＣ−ＡＣインバーターで商用電源を取り出せ通信機器の電源として使えて、テレビラジオの電源として使え災害情報が知ることが出来る、ＤＣ−ＤＣコンバーターの低電圧装置で小電力が取り出せ携帯電話などの電源として使う、本体の機と子機。
【０００７】独自に地震機能を持った子機は、地震発生時に商用電源が遮断されても充電装置に電源を保持し、この電源より振動センサーが震度を検知し、ブザー音を鳴らして夜の睡眠時でも起きるようにして、電灯が点いて足下に注意しガラスなど危険な物を避け安全に避難をすることである。
ブザーが鳴り続ければ、被害を受けている可能性も分かる。
【発明を実施するための最良の形態】
【０００８】              以下、図３に示す発明を実施するための最良の形態により、本体の機１に子機２と独自機能を持った子機２ａを詳細に説明する。【０００９】本発明は、本体の機１に太陽電池１０を使うか、商用電源３を使うかをスイッチ１５で切り替えて整流化にした電源を、過放電、放電を防ぐコントローラ４からバッテリ５に接続した充電装置で、この充電電源から各箇所に配線される物は、振動センサー６、送信装置７、ブザー９、電灯１２と関連して接続されて、ＤＣ−ＡＣインバーター１４とＤＣ−ＤＣコンバーター１３は単一にコントローラ４から接続し、これらの各所にスイッチ１５を設けた本体の機。【００１０】子機２は、商用安定化電源３を通し、過放電、放電を防ぐコントローラ４からバッテリ５に接続した充電装置、この充電装置より配線される、受信装置８によりブザー９と電灯１２が関わって接続され、各所にスイッチ１５を設けた本体の機と関連した子機。【００１１】              図２ａでしめす、商用安定化電源３を通し過放電放電を防ぐコントローラ４からバッテリ５に接続した充電装置、この充電装置より配線される振動センサー６からブザー９と電灯１２が関連して接続されて、各所にスイッチ１５を設け上記記載の本体の機と子機で送受信装置の電波を使わない、独自に地震機能を持った子機。
【実施例】
【００１２】商用電源から充電装置に充電し地震発生時に、本体の機の振動センサーで検知し送信装置から送信、子機の受信装置で受信、本体の機と各部屋に備えの子機とが、ブザー音で目覚めて起き、電灯が点く明かりで足下の状況確認して家族の安否確認し避離所に避難、避難所に移動する場合は、商用電源を取り外しブザー音を消し、本体の機と子機の電灯をもって避難できる。
図４図５で示す、仮設テント１１などで使う場合、本体の機のスイッチを太陽電池使用に切り替えて、充電しながら電灯でテントの明かりに、ＤＣ−ＡＣインバーターで商用電源を取り出しテレビラジオを点けられる、ＤＣ−ＤＣコンバーターの低電圧装置で小電力取り出せるようにした。
又本体の機は、太陽電池と蓄電池によってアウトドアの電源として使うことが出来る。【００１３】図１図３で示す、独自に地震機能を持った子機は、商用安定化電源を通しコントローラからバッテリに充電して置き、夜地震発生時に振動センサーが検知しブザー音が鳴って目覚めて起き、電灯点く明かりで足下の状況確認し避難する。
【産業上の利用可能性】
【００１４】              本発明は、地震対策を進める建設業社、半導体業社、電気機器業社、これらに携わる製造販売する産業で利用される。
【図面の簡単な説明】
【００１５】
【図１】本発明を実施するための本体の機と子機の使用状況図。
【図２】本発明を実施するための警報機の設置使用状態図。
【図３】本発明を実施するための原理工程図。
【図４】本発明を実施するための太陽電池で使用状況の構成図。
【図５】本発明を実施するための太陽電池で仮設テントの使用図。
【符号の説明】
【００１６】  １、  本体の機
２、  子機
２ａ、独自の子機
３、  商用安定化電源
４、  コントローラ
５、  バッテリ
６、  振動センサー
７、  送信装置
８、  受信装置
９、  ブザー
１０、  太陽電池
１１、  仮設テント
１２、  電灯
１３，  ＤＣ−ＤＣコンバーター
１４、  ＤＣ−ＡＣインバーター
１５、  スイッチ（切り替え、各所の）
【手続補正３】
【補正対象書類名】図面
【補正対象項目名】全図
【補正方法】変更
【補正の内容】
【図１】
2006194847.tif 000008
【図２】
2006194847.tif 000009
【図３】
2006194847.tif 000010
【図４】
2006194847.tif 000011
【図５】
2006194847.tif 000012
【手続補正書】
【提出日】平成18年1月6日(2006.1.6)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】請求項２
【補正方法】変更
【補正の内容】
【請求項２】
独自の子機２ａは、商用安定化電源よりコントローラにバッテリの充電装置から振動センサーによりブザーと電灯が関連して接続し、この各所にスイッチを設けた子機。この子機の振動センサーによって地震検知機能を持った特徴の地震警報機。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】  太陽電池と商用電池を持ち、地震発生時に電源が遮断され蓄電池により振動センサーから警報音と電灯が点く装置に関する。
【背景技術】
【０００２】  従来、懐中電灯とラジオ付き蛍光灯があるが、地震検知機能がない。この製品と似たもので、（例えば、特許文献１）警報機がある、これは煙、火災、生ガス、ＣＯ、温度など検知するセンサーで警報音で知らせる物で火災が主体で地震が発生時に地震検知機能がないので使えない。また地震警報機で地震源から送られるＰ波の波形を検知し警報音を出し、何秒かで地震の揺れがくる、この機器はＰ波を検知し警報音を出すだけで、地震時地震後の補助システムがない欠点がある。
【特許文献１】２００４−２５８９６８号
【発明が解決しようとする課題】
【０００３】  地震発生時に家全体の商用電源が遮断されて部屋は暗く、懐中電灯など明かりが点く物があっても、何処にあるのか分からずに怪我をする人が多いことと、これによって逃げ遅れ重大な障害になりうることと、避難所先の仮設テントの中が明かりもなく暗いことである。本発明は、以上のような従来の欠点を鑑みて、地震発生時と同時に発生後の人命保護を主題とした機器を提供することを目的としている。
【課題を解決するための手段】
【０００４】  上記目的を達成するために、通常は商用電源から充電して置き、夜の睡眠時に地震が発生した場合に、商用電源が遮断されても、蓄電池から地震検知機能を持った装置から電波によって、各部屋の備えの同じシステムの機器がブザーの警報音で目覚まし同時に電灯の明かりが点くことで、自分の身の回りの状況を確認され、足下に注意し怪我をしないよう家族の安否を確認して余震が有るので避難所に向かう。被害を受けている場合に、充電装置と電灯を持ち、その電灯を点けて捜索できる。他に使用される所として、一般家庭、ビルの地下室、ビルの暗室になる所、商用電源が遮断され発電施設がない所などである。仮設テントの中で太陽電池から蓄電した電源を使い、明かりを点け、商用電源と小電力も使える。商用電源と太陽電池から蓄電池して持ち運べる特徴を持った構成にしている。
【０００５】  第２の解決手段として請求項２の蓄電装置を備えて送受信装置の電波を使わずに単独に地震検知機能を設け警報音と明かりを点ける構成である。
【発明の効果】
【０００６】  以上の説明から明らかなように、本発明は地震発生時に商用電源が遮断されても充電装置で電源を保持し、この電源より振動センサーが震度を検知し、本体の機から子機に送受信装置を使い、同時にブザー音を鳴らし電灯が点くことで、夜の睡眠時でも起きることができ、その明かりによって足下に注意しガラスなど危険な物を避け安全に避難をすることにある。ブザーが鳴り続ければ、被害を受けている可能性も分かる。地震後の余震が続く中、避難所で太陽電池と蓄電池によって仮設テントの中を電灯で明かりを点けることができ。ＤＣ−ＡＣインバーターで商用電源を取り出し、通信機器かテレビラジオなどの電源として使えて災害情報を送信又は受信して知ることができる。ＤＣ−ＤＣコンバーターは低電圧装置によって小電力を取り出し携帯電話などの電源を取り出すこともできる。本体の機と子機。
【０００７】  独自に地震機能を持った子機２ａは、地震発生時に商用電源が遮断されても充電装置に電源を保持し、この電源より振動センサーが震度を検知し、ブザー音を鳴らし電灯が点くことで、夜の睡眠時でも起きることができ、その明かりによって足下に注意しガラスなど危険な物を避け安全に避難をすることにある。ブザーが鳴り続ければ、被害を受けている可能性も分かる。
【発明を実施するための最良の形態】
【０００８】  以下、図面に示す、発明を実施するための最良の形態により、本体の機１に子機２と独自機能を持った子機２ａを詳細に説明する。【０００９】  本発明は、本体の機１に太陽電池１０を使うか、商用電源３を使うかをスイッチ１５で切り替えて整流化にした電源を、過放電、放電を防ぐコントローラ４からバッテリ５に接続した充電装置で、この充電装置から各箇所に配線される物は、振動センサー６、送信装置７、ブザー９と電灯１２が関連して接続されて、ＤＣ−ＡＣインバーター１４とＤＣ−ＤＣコンバーター１３が単一に充電装置に接続され、これらの各所にスイッチ１５を設けた本体の機。【００１０】  子機２は、商用安定化電源３を通し、過放電、放電を防ぐコントローラー４からバッテリ５に接続した充電装置で、この充電装置から受信装置８よりにブザー９と電灯１２が関わって接続されて、各所にスイッチ１５を設けた本体の機と子機。【００１１】  独自の子機２ａで示す、商用安定化電源３を通し過放電、放電を防ぐコントローラ４からバッテリ５に接続した充電装置で、この充電装置から配線される、振動センサー６からブザー９と電灯１２が関連して接続されて、各所にスイッチ１５を設けた、独自に地震機能を持った子機２ａ。
【実施例】
【００１２】  商用電源から本体の機１の充電装置に充電し、地震発生時にその電源から振動センサー６で検知し送信装置７から送信、子機の受信装置８で受信これにより本体の機１と各部屋に備えの子機２は、同時にブザー９音が鳴り、電灯１２が点く。この両機は家族が被害を受けて捜索するときに、商用電源３を切り離しブザー９音を消し電灯はコントローラから直通の電源に切り替えて明かりを点けそのままで捜索する。図４、図５、避難所に移動し仮設テント１１で使う場合は、本体の機１のスイッチ１５を太陽電池１０使用に切り替えて、太陽電池１０から充電装置に充電しながら、仮設テント１１の中で電灯１２を強弱して点けられる、その充電装置からＤＣ−ＡＣインバーター１４を使い商用電源を取り出す物と、その充電装置からＤＣ−ＤＣコンバーター１３の低電圧変換器を使い小電力を取り出ことができる。また本体の器１は、太陽電池１０と蓄電池によってアウトドアの電源としても使うことができる。【００１３】  図１，図３，で示す、独自に地震機能を持った子機２ａは、商用安定化電源３を通しコントローラ４からバッテリ５の充電装置に充電して置き、夜地震発生時に振動センサー６が検知しブザー９音が鳴り、電灯１２が点く明かりで避難する。
【産業上の利用可能性】
【００１４】  本発明は、地震対策を進める建設業社、半導体業社、電気機器業社、これらに他事さわる携わる製造販売する産業で利用される。
【図面の簡単な説明】
【図１】  本発明の実施するための本体の機と子機の使用状況図。
【図２】  本発明を実施するための警報機の設置使用状態図。
【図３】  本発明を実施するための原理工程図。
【図４】  本発明を実施するための太陽電池で使用状況の構成図。
【図５】  本発明を実施するための太陽電池で仮設テントの使用図。
【符号の説明】
【００１５】  １、本体の機
２、子機
２ａ、独自の子機
３、商用安定化電源
４、コントローラー
５、バッテリ
６、振動センサー
７、送信装置
８、受信装置
９、ブザー
１０、太陽電池
１１、仮設テント
１２、電灯
１３、ＤＣ−ＤＣコンバーター
１４、ＤＣ−ＡＣインバーター
１５、スイッチ（切り替え、各所の）
【手続補正書】
【提出日】平成18年4月5日(2006.4.5)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】請求項２
【補正方法】変更
【補正の内容】
【請求項２】
独自の子機２ａは、商用安定化電源よりコントローラにバッテリの充電装置から振動センサーによりブザーと電灯が関連して接続し、この各所にスイッチを設けた子機。この子機の振動センサーによって地震検知機能を持った特徴の地震警報機。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】                地震発生時に電源が遮断された場合を想定して、太陽電池と商用電源から蓄電池に保持し、この電源より振動センサーから警報音と電灯が点く装置に関する。
【背景技術】
【０００２】                従来、懐中電灯とラジオ付き蛍光灯があるが、地震検知機能がない。この製品と似たもので、（例えば、特許文献１）警報機がある、これは煙、火災、生ガス、ＣＯ、温度など検知するセンサーで警報音で知らせる物で火災が主体で地震が発生時に地震検知機能がないので使えない。また地震警報機で地震源から送られるＰ波の波形を検知し警報音を出し、何秒かで地震の揺れがくる、この機器はＰ波を検知し警報音を出すだけで、地震時地震後の補助システムがない欠点がある。
【特許文献１】２００４−２５８９６８号
【発明が解決しようとする課題】
【０００３】                地震発生時に家全体の商用電源が遮断されて部屋は暗く、懐中電灯など明かりが点く物があっても、何処にあるのか分からずに怪我をする人が多いことと、これによって逃げ遅れ重大な障害になりうることと、避難所先の仮設テントの中が明かりもなく暗いことである。本発明は、以上のような従来の欠点を鑑みて、地震発生時と同時に発生後の逃げ遅れを防ぎ人命保護を主題とした機器を提供することを目的としている。
【課題を解決するための手段】
【０００４】                上記目的を達成するために、本体の機は、商用電源と太陽電池から充電装置のコントローラーを使いバッテリに充電して置き、その充電された電源を使い、低電圧装置のコンバーターを通し振動センサーに送信装置とブザー、電灯は着脱自在に設け、蓄電池より商用電源を取り出せるインバーター接続され、各所にスイッチを設けた本体の機である。子機は、商用電源より充電装置のコントローラーからバッテリに充電し、この充電された電源から受信装置にブザーと電灯が接続され、各所にスイッチを設けた子機である。持ち運べる特徴を持った構成にしている。
【０００５】                第２の解決手段として請求項２の蓄電装置を備えて送受信装置の電波を使わずに単独に地震検知機能を設け警報音と明かりを点ける構成である。
【発明の効果】
【０００６】                以上の説明から明らかなように、本発明は地震発生時に商用電源が遮断されても充電装置で電源を保持し、本体の機の振動センサーが震度を検知し送信装置から送信し、子機の受信装置で受信し、本体機と子機は同時にブザー音を鳴らし電灯が点くことで、夜の睡眠時でも電灯の明かりによって起きることができ、その明かりによって足下に注意しガラスなど危険な物を避け怪我をしないよう家族の安否と安全を確認し避難をすることにある。ブザーが鳴り続ければ被害を受けている可能性も分かり長時間捜索できる。地震後の余震が続く中、避難所で太陽電池と蓄電池によって仮設テントの中を電灯で明かりを点けることができ。ＤＣ−ＡＣインバーターで商用電源を取り出し、通信機器かテレビラジオなどの電源として使えて災害情報を送信又は受信して知ることができる。ＤＣ−ＤＣコンバーターは低電圧装置によって小電力を取り出し携帯電話などの電源を取り出すこともできる。他に使用される所として、一般家庭、ビルの地下室、商用電源が遮断され発電施設がないところ。混雑する小規模な公共施設などで地震発生前のＰ波で検知し警報ならすと人々の混乱が発生するおそれがあるが、本体の機に子機と子機２ａは地震発生後であるため有効に使用される。
【０００７】                独自に地震機能を持った子機２ａは、地震発生時に商用電源が遮断されても充電装置に電源を保持し、この電源より振動センサーが震度を検知し、ブザー音を鳴らし電灯が点くことで、夜の睡眠時でも起きることができ、その明かりによって足下に注意しガラスなど危険な物を避け安全に避難をすることにある。ブザーが鳴り続ければ、被害を受けている可能性も分かる。
【発明を実施するための最良の形態】
【０００８】                以下、図面に示す、発明を実施するための最良の形態により、本体の機１に子機２と独自機能を持った子機２ａを詳細に説明する。【０００９】                本発明は、本体の機１に太陽電池１０を使うか、商用電源３を使うかをスイッチ１５で切り替えて整流化にした電源を、過放電、放電を防ぐコントローラ４からバッテリ５に接続した充電装置で、この充電電源から低電圧装置のＤＣ−ＤＣコンバーター１３より各箇所に配線される物は、振動センサー６、送信装置７、ブザー９と電灯１２は着脱自在にできるように設けて、ＤＣ−ＡＣインバーター１４接続され、これらの各所にスイッチ１５を設けた本体の機。【００１０】                子機２は、商用安定化電源３を通し、過放電、放電を防ぐコントローラー４からバッテリ５に接続した充電装置で、この充電電源から受信装置８よりにブザー９と電灯１２が関わって接続されて、各所にスイッチ１５を設けた子機。【００１１】                独自の子機２ａで示す、商用安定化電源３を通し過放電、放電を防ぐコントローラ４からバッテリ５に接続した充電装置で、この充電電源から配線される、振動センサー６からブザー９と電灯１２が関連して接続されて、各所にスイッチ１５を設けた、独自に地震機能を持った子機２ａ。
【実施例】
【００１２】                商用電源から本体の機１の充電装置に充電し、地震発生時にその電源から振動センサー６で検知しブザー９音が鳴り、電灯１２が点き、送信装置７から送信、子機の受信装置８で受信し、ブザー音９が鳴り、電灯１２が点き、これにより本体の機１と各部屋に備えの子機２は、ほぼ同時にブザー９と電灯１２動作する。この両機は家族が被害を受けて捜索するときに、商用電源３を切り離しブザー９音を消し電灯１２はコントローラ４から直通の電源のスイッチ１５に切り替えて明かりを点けそのままで捜索する。図４、図５、避難所に移動し仮設テント１１で使う場合は本体の機１のスイッチ１５を太陽電池１０使用に切り替えて、太陽電池１０から充電装置に充電しながら、本体の機１の着脱自在に設けた電灯１２を取り外し、図４仮設テント１１の中で取り付けられるようにし強弱して点けられる、その充電装置からＤＣ−ＡＣインバーター１４を使い商用電源を取り出す物と、その充電装置からＤＣ−ＤＣコンバーター１３の低電圧変換器を使い小電力を取り出ことができる。また本体の器１は、太陽電池１０と蓄電池によってアウトドアの電源としても使うことができる。【００１３】                図１，図３，で示す、独自に地震機能を持った子機２ａは、商用安定化電源３を通しコントローラ４からバッテリ５の充電装置に充電して置き、夜地震発生時に振動センサー６が検知しブザー９音が鳴り、電灯１２が点く明かりで足下の安全を確認しながら避難する。
【産業上の利用可能性】
【００１４】                本発明は、地震対策を進める建設業社、半導体業社、電気機器業社、これらに他事さわる携わる製造販売する産業で利用される。
【図面の簡単な説明】
【図１】        本発明の実施するための本体の機と子機の使用状況図。
【図２】        本発明を実施するための警報機の設置使用状態図。
【図３】        本発明を実施するための原理工程図。
【図４】        本発明を実施するための太陽電池で使用状況の構成図。
【図５】        本発明を実施するための太陽電池で仮設テントの使用図。
【符号の説明】
【００１５】                    １、本体の機
２、子機
２ａ、独自の子機
３、商用安定化電源
４、コントローラー
５、バッテリ
６、振動センサー
７、送信装置
８、受信装置
９、ブザー
１０、太陽電池
１１、仮設テント
１２、電灯
１３、ＤＣ−ＤＣコンバーター
１４、ＤＣ−ＡＣインバーター
１５、スイッチ（切り替え、各所の）